(57)【特許請求の範囲】
【請求項１】
居住部と、この居住部の上に屋根ユニットを載置して構成された屋根部とを備えた建物において、前記居住部の屋外側にバルコニーが連結され、このバルコニーの上のバルコニー用屋根ユニットが平行な二つの袖壁で支持され、前記バルコニー用屋根ユニットで隅棟トラスまたは隅棟梁を有する寄棟屋根部が形成され、前記袖壁の面形状が下辺を上辺より屋外側に突出させて長くした略Ｌ字形になされ、袖壁の上辺から下辺に渡る補強柱が設けられ、前記隅棟トラスまたは隅棟梁が補強柱の直上にて支持されていることを特徴とする建物。
【請求項２】
前記袖壁とバルコニーの床部とが一体化されてバルコニーユニットとされていることを特徴とする請求項１記載の建物。
【請求項３】
前記バルコニー用屋根ユニットが、バルコニーユニットとこのバルコニーユニットと隣接し居住部を構成する建物ユニットとに跨がって設けられていることを特徴とする請求項２記載の建物。
【発明の詳細な説明】
【０００１】
【発明の属する技術分野】
この発明は、屋根付きバルコニーを有する建物に関するものである。
【０００２】
【従来の技術】
従来のユニット建物としては、特開平６−１４６４１６号公報に記載されているものが知られている。上記公報記載のユニット建物は、複数の居住用建物ユニットを組み合わせる居住部上に複数の屋根ユニットが載置されて屋根部が構成されている。
このユニット建物では、軒先を有する屋根ユニットを前記居住部の端部に位置する建物ユニットで支持する軒先支持構造になされ、前記建物ユニットは、前記居住部の外壁を構成する横壁と、該横壁から軒先側に向けて突出して前記軒先を有する屋根ユニットの軒先側の両側端部を支持する縦壁とを有している。
このような居住部の端部に位置する建物ユニットでは、横壁と両側の縦壁とにより囲われた屋外側の前側約半分が屋根付きバルコニー空間部として利用可能になされ、縦壁がバルコニーの袖壁になると同時に、バルコニー空間部の上方を覆う屋根ユニットを支持している。
【０００３】
【発明が解決しようとする課題】
しかしながら、前記公報記載のような従来のユニット建物では、建物ユニットの屋外側の前側約半分を屋根付きバルコニー空間部として利用し、残りの後ろ側半分を居住空間部として利用するので、屋根付きバルコニーとして利用できる空間部の奥行きが限られるという問題があった。
【０００４】
そこで本発明の目的は、奥行き寸法が制約されない広い屋根付きバルコニーを有するユニット建物を提供することにある。
【０００５】
【課題を解決するための手段】
請求項１記載の発明は、居住部と、この居住部の上に屋根ユニットを載置して構成された屋根部とを備えた建物において、前記居住部の屋外側にバルコニーが連結され、このバルコニーの上のバルコニー用屋根ユニットが平行な二つの袖壁で支持されていることを特徴としている。
【０００６】
さらに、請求項１記載の発明は、前記バルコニー用屋根ユニットで隅棟トラスまたは隅棟梁を有する寄棟屋根部が形成され、前記袖壁の面形状が下辺を上辺より屋外側に突出させて長くした略Ｌ字形になされ、袖壁の上辺から下辺に渡る補強柱が設けられ、前記隅棟トラスまたは隅棟梁が補強柱の直上にて支持されていることを特徴としている。
【０００７】
請求項２記載の発明は、請求項１記載の建物において、前記袖壁とバルコニーの床部とが一体化されてバルコニーユニットとされていることを特徴としている。
【０００８】
請求項３記載の発明は、請求項２記載の建物において、前記バルコニー用屋根ユニットが、バルコニーユニットとこのバルコニーユニットと隣接し居住部を構成する建物ユニットとに跨がって設けられていることを特徴としている。
【０００９】
（作  用）
請求項１記載の発明は、前記居住部の屋外側にバルコニーが連結され、このバルコニーの上にバルコニー用屋根ユニットが設けられているので、奥行き寸法が制約されない広い屋根付きバルコニーを有するユニット建物となる。
また、バルコニー用屋根ユニットが平行な二つの袖壁で支持されているので、バルコニー用屋根ユニットを安定に支持できる。
【００１０】
請求項１記載の発明は、さらに、前記バルコニー用屋根ユニットで隅棟トラスまたは隅棟梁を有する寄棟屋根部が形成され、前記袖壁の面形状が下辺を上辺より屋外側に突出させて長くした略Ｌ字形になされ、袖壁の上辺から下辺に渡る補強柱が設けられ、前記隅棟トラスまたは隅棟梁が補強柱の直上にて支持されているので、この補強柱が設けられた袖壁によって寄棟屋根部を一層強固に安定して支持できる。
【００１１】
請求項２記載の発明は、さらに、前記袖壁とバルコニーの床部とが一体化されてバルコニーユニットとされているので、建築現場での工数を削減できる。
【００１２】
請求項３記載の発明は、さらに、前記バルコニー用屋根ユニットが、バルコニーユニットとこのバルコニーユニットと隣接し居住部を構成する建物ユニットとに跨がって設けられているので、バルコニー用屋根ユニットを一層安定に支持できる。
【００１３】
【発明の実施の形態】
図１〜図８は、本発明の一実施例であって、図１（イ）図はユニット建物の斜視図、（ロ）図は正面図、（ハ）図は側面図である。図２は図１に示すユニット建物の要部を分解して示す斜視図であり、図３は構築後のユニット建物の要部を示す斜視図、図４は図３のＡ−Ａ線における断面図、図５は屋根部断面図である。図６は袖壁を分解して示す斜視図、図７は補強柱の配置を示す説明図であって、（イ）図は平面図、（ロ）図は正面図、（ハ）図は側面図である。図８はバルコニーを現地付けするユニット建物の分解斜視図である。
図１〜図８において、１はユニット建物、２は居住部、３、４は建物ユニット、５はバルコニーユニット、６は屋根部、７〜９は屋根ユニットである。
【００１４】
本実施例のユニット建物１は、図１に示すように、上下階からなる居住部２と、この居住部２の上に屋根ユニット７、８、９を載置して構成された屋根部６とを備えている。
そして、前記居住部２の屋外側にバルコニーユニット５が連結され、このバルコニーユニット５の上のバルコニー用屋根ユニット９が平行な二つの袖壁５２、５２で支持されている。
【００１５】
上記居住部２は、形状の異なる建物ユニット３、４から構成されている。建物ユニット３、４は、いずれも、平面視長方形であり、建物ユニット３の場合、床パネル３１と、床パネル３１の短辺側に立設された壁パネル３２と、長辺側に立設された壁パネル３３とから箱型に構成されている。
このように、建物ユニット３、４は、床パネルと壁パネルとからなる壁式工法で組み立てられているが、柱梁とから箱型に組まれた軸組式のものであってもよい。
建物ユニット３と建物ユニット４において、長辺側の長さは同一であるが、建物ユニット４の短辺側の長さは建物ユニット３の短辺側長さの約半分になされている。すなわち、建物ユニット３はフルサイズになされているのに対し、建物ユニット４はハーフサイズになされている。
【００１６】
居住部２の下階部分では、上記二つの建物ユニット３、３の短辺側を互いに突き合わせて中央部に配置し、それぞれの建物ユニット３、３の両側にハーフサイズの建物ユニット４、４をそれぞれ２個ずつ合計４個配置している。
居住部２の上階部分では、上記建物ユニット３の上に同じく建物ユニット３を載せ、建物ユニット４の上にはバルコニーユニット５が搭載される部分を除いて同じくハーフサイズの建物ユニット４が載せられている。
【００１７】
上記バルコニーユニット５は、図２に示すように、袖壁５２、５２とバルコニーの床部５１とを一体化したものであって、床部５１は床パネルで形成され、この床部５１の両側に袖壁５２、５２が立設され、袖壁５２、５２の下端部間に手摺り壁５３が設けられ、袖壁５２、５２の上端部間に屋根梁５４が架け渡されている。
【００１８】
前記袖壁５２は、その面形状が下辺５２２を上辺５２１より屋外側に突出させて長くした略Ｌ字形になされ、袖壁５２の上辺５２１から下辺５２２に渡る補強柱５５が設けられている。
すなわち、図６に示すように、袖壁５２は、略Ｌ字形状に組まれた枠体５２３と、この枠体５２３の両側に貼設された面材５２４とから構成され、上記補強柱５５はこの枠体５２３の中に組み込んで設けられている。
上記枠体５２３を構成する枠材は、例えば、枠組壁工法用の寸法型式２０４製材であり、補強柱５５は、例えば、寸法型式４０４のパラレルストランドランバー（ＰＳＬ）である。
【００１９】
前記屋根部６は、上記建物ユニット３、３の上に載置される２つの屋根ユニット７、７と、主として建物ユニット４の上に載置される３つの屋根ユニット８、８、８と、バルコニーユニット５の上に載置されるバルコニー用屋根ユニット９とから、寄棟屋根を構成している。
なお、屋根ユニット８とバルコニー用屋根ユニット９とは、同一の構成であって、便宜上符合を別にしているだけである。
【００２０】
上記バルコニー用屋根ユニット９は、図２に示すように、バルコニーユニット５とこのバルコニーユニット５と隣接し居住部を構成する建物ユニット３とに跨がって設けられている。また、屋根ユニット８も、建物ユニット４と隣接する建物ユニット３とに跨がって設けられている。
そして、前記バルコニー用屋根ユニット９で隅棟梁９３を有する寄棟屋根の一部が形成されている。
【００２１】
屋根ユニット７は、寄棟屋根の棟部に沿って設けられるものであって、両側の桁枠組７２と、桁枠組７２、７２の一側に設けられた妻枠組７３と、他側に設けられた軒梁７５とから枠組され、更に桁枠組７２、７２間に架け渡された三角形状の梁７８を介して棟木７１が設けられ、この棟木７１の一端から分岐する隅棟梁７４が設けられ、隅棟梁７４と軒梁７５間に垂木７６、７６、・・が設けられ、垂木７６の先端に鼻隠し７７が設けられている。
【００２２】
バルコニー用屋根ユニット９は、同じく図２に示すように、上記屋根ユニット７の桁枠組７２と同形状の桁枠組９１と、この桁枠組９１の一側に直交して設けられた妻枠組９２と、妻枠組９２に直交する軒梁９４と、桁枠組９１と軒梁９４間に架け渡され前記屋根ユニット７の隅棟梁７４と連続する隅棟梁９３とから枠組され、桁枠組９１と軒梁９４間に複数の垂木９５が並列して設けられ、垂木９５の先端に鼻隠し９６が設けられている。
また、上記バルコニー用屋根ユニット９には、桁小壁９７が設けられている。
この桁小壁９７は、建物ユニット３の長辺側に設けられている壁パネル３３（桁壁）の上方に位置して設けられている。
上記バルコニー用屋根ユニット９には、野地板９８を全面に貼設している。
【００２３】
上記構成になされた居住部２と屋根部６とからなるユニット建物１の施工方法を、図２、図３、図４、図７を参照して説明する。
まず、建物基礎（不図示）のうえに下階部分を構成する建物ユニット３、４を隣接して設置し、その上に上階部分を構成する建物ユニット３、４とバルコニーユニット５をそれぞれの位置に設置して居住部２を構築する。
その後、建物ユニット３、４の上に屋根ユニット７、８を載置し、バルコニーユニット５と隣接する建物ユニット３とに跨がるようにしてバルコニー用屋根ユニット９を載置し、屋根部６を構築する。
【００２４】
その際、前記隅棟梁９３は、図７に示すように、袖壁５２の中に設けられている補強柱５５の直上にて支持されている。
そして、バルコニー用屋根ユニット９の軒梁９４は、バルコニーユニット５の屋根梁５４と袖壁５２の上辺５２１に支持されている。また、バルコニー用屋根ユニット９の短辺側軒梁９４と桁小壁９７とが、それぞれ、隣接する建物ユニット３の壁パネル３２、３３とに支持されている。
【００２５】
上述の本実施例によると、居住部２の屋外側にバルコニー（バルコニーユニット５）が連結され、このバルコニーユニット５の上にバルコニー用屋根ユニット９が設けられているので、奥行き寸法が制約されない広い屋根付きバルコニーを有するユニット建物１となる。
また、バルコニー用屋根ユニット９が平行な二つの袖壁５２、５２で支持されているので、バルコニー用屋根ユニット９を安定に支持できる。
【００２６】
さらに、本実施例によると、前記袖壁５２とバルコニーの床部５１とを一体化してバルコニーユニット５とされているので、建築現場での工数を削減できる。
【００２７】
さらに、前記バルコニー用屋根ユニット９が、バルコニーユニット５とこのバルコニーユニット５と隣接し居住部２を構成する建物ユニット３とに跨がって設けられているので、バルコニー用屋根ユニット９を一層安定に支持できる。
【００２８】
さらに、前記バルコニー用屋根ユニット９で隅棟梁９３を有する寄棟屋根部が形成され、前記袖壁５２の面形状が下辺５２２を上辺５２１より屋外側に突出させて長くした略Ｌ字形になされ、袖壁５２の上辺５２１から下辺５２２に渡る補強柱５５が設けられ、前記隅棟梁９３が補強柱５５の直上にて支持されているので、この補強柱５５が設けられた袖壁５２によって寄棟屋根部を一層強固に安定して支持できる。
【００２９】
以上、本発明の実施例を図面により詳述してきたが、具体的な構成はこの実施例に限られるものでなく、本発明の要旨を逸脱しない範囲の設計変更等があっても、本発明に含まれる。
例えば、実施例では、バルコニーを袖壁５２と床部５１とが一体になされたバルコニーユニット５として示したが、このバルコニーは、図８に示すように、床部５１と袖壁５２とが別体になされ、施工現場で床部５１に袖壁５２を取り付けるようにしてもよい。
【００３０】
【発明の効果】
請求項１記載の発明は、前記居住部の屋外側にバルコニーが連結され、このバルコニーの上にバルコニー用屋根ユニットが設けられているので、奥行き寸法が制約されない広い屋根付きバルコニーを有するユニット建物となる。
また、バルコニー用屋根ユニットが平行な二つの袖壁で支持されているので、バルコニー用屋根ユニットを安定に支持できる。
【００３１】
請求項１記載の発明は、さらに、前記バルコニー用屋根ユニットで隅棟トラスまたは隅棟梁を有する寄棟屋根部が形成され、前記袖壁の面形状が下辺を上辺より屋外側に突出させて長くした略Ｌ字形になされ、袖壁の上辺から下辺に渡る補強柱が設けられ、前記隅棟トラスまたは隅棟梁が補強柱の直上にて支持されているので、この補強柱が設けられた袖壁によって寄棟屋根部を一層強固に安定して支持できる。
【００３２】
請求項２記載の発明は、さらに、前記袖壁とバルコニーの床部とが一体化されてバルコニーユニットとされているので、建築現場での工数を削減できる。
【００３３】
請求項３記載の発明は、さらに、前記バルコニー用屋根ユニットが、バルコニーユニットとこのバルコニーユニットと隣接し居住部を構成する建物ユニットとに跨がって設けられているので、バルコニー用屋根ユニットを一層安定に支持できる。
【図面の簡単な説明】
【図１】  本発明の一実施例であって、（イ）図はユニット建物の斜視図、（ロ）図は正面図、（ハ）図は側面図である。
【図２】  図１に示すユニット建物の要部を分解して示す斜視図である。
【図３】  構築後のユニット建物の要部を示す斜視図である。
【図４】  図３のＡ−Ａ線における断面図である。
【図５】  屋根部断面図である。
【図６】  袖壁を分解して示す斜視図である。
【図７】  補強柱の配置を示す説明図であって、（イ）図は平面図、（ロ）図は正面図、（ハ）図は側面図である。
【図８】  バルコニーを現地付けするユニット建物の分解斜視図である。
【符号の説明】
１        ユニット建物
２        居住部
３、４    建物ユニット
５        バルコニーユニット
５１      床部
５２      袖壁
５２１    上辺
５２２    下辺
５５      補強柱
６        屋根部
７、８    屋根ユニット
９        バルコニー用屋根ユニット
９３      隅棟梁
【図１】
0004146576.tif 000002
【図２】
0004146576.tif 000003
【図３】
0004146576.tif 000004
【図４】
0004146576.tif 000005
【図５】
0004146576.tif 000006
【図６】
0004146576.tif 000007
【図７】
0004146576.tif 000008
【図８】
0004146576.tif 000009